(57)【特許請求の範囲】
【請求項１】
特定国語会話の音声データ及びテキストデータを管理するコンテンツサーバ及び携帯端末とネットワークを介して通信する保管用サーバと、この保管用サーバと前記ネットワークを介して通信する端末装置とからなり、
前記保管用サーバは、
前記ネットワークを介して通信した情報を保管する情報保管部を有する情報保管手段と、
前記携帯端末からの指示により前記コンテンツサーバから特定国語会話の音声データを前記情報保管部にダウンロードする音声データダウンロード手段と、
前記ダウンロードした音声データを前記情報保管部から読み出して前記携帯端末に送信する音声データ送信手段と、
前記端末装置から前記音声データに対応した特定国語会話のテキスト取得要求があると、前記コンテンツサーバから前記音声データに対応した特定国語会話のテキストデータを前記情報保管部にダウンロードするテキストデータダウンロード手段と、
前記携帯端末から前記音声データに対応したテキストの取得指定情報を受け取ると、前記取得指定情報を送信した前記携帯端末に対してテキストデータを取得するためのパスワードを送信するパスワード送信手段と、
前記端末装置から前記テキストデータを取得するためのパスワードを受け取ると、前記ダウンロードしたテキストデータを前記情報保管部から読み出して前記端末装置に送信するテキストデータ送信手段とを設け、
前記端末装置は、前記保管用サーバに対して前記テキストデータを取得するためのパスワードを含む特定国語会話のテキスト取得要求を行う要求手段と、
前記保管サーバから前記特定国語会話のテキストデータを受信すると、この受信したテキストデータを印刷出力する印刷出力手段とを備えた
ことを特徴とする通信教育システム。
【請求項２】
特定国語会話の音声データ及びテキストデータを管理するコンテンツサーバ、携帯端末及び端末装置とネットワークを介して通信する保管用サーバであり、
前記ネットワークを介して通信した情報を保管する情報保管部を有する情報保管手段と、
前記携帯端末からの指示により前記コンテンツサーバから特定国語会話の音声データを前記情報保管部にダウンロードする音声データダウンロード手段と、
前記ダウンロードした音声データを前記情報保管部から読み出して前記携帯端末に送信する音声データ送信手段と、
前記端末装置から前記音声データに対応した特定国語会話のテキスト取得要求があると、前記コンテンツサーバから前記音声データに対応した特定国語会話のテキストデータを前記情報保管部にダウンロードするテキストデータダウンロード手段と、
前記携帯端末から前記音声データに対応したテキストの取得指定情報を受け取ると、前記取得指定情報を送信した前記携帯端末に対して前記端末装置により印刷出力されるテキストデータを取得するためのパスワードを送信するパスワード送信手段と、
前記端末装置から前記テキストデータを取得するためのパスワードを受け取ると、前記ダウンロードしたテキストデータを前記情報保管部から読み出して前記端末装置に送信するテキストデータ送信手段と
を設けたことを特徴とする保管用サーバ。
【請求項３】
特定国語会話の音声データ及びテキストデータを管理するコンテンツサーバ、携帯端末及び端末装置とネットワークを介して通信する保管用サーバとして使用するためにコンピュータを、
前記ネットワークを介して通信した情報を保管する情報保管部を有する情報保管手段と、
前記携帯端末からの指示により前記コンテンツサーバから特定国語会話の音声データを前記情報保管部にダウンロードする音声データダウンロード手段と、
前記ダウンロードした音声データを前記情報保管部から読み出して前記携帯端末に送信する音声データ送信手段と、
前記端末装置から前記音声データに対応した特定国語会話のテキスト取得要求があると、前記コンテンツサーバから前記音声データに対応した特定国語会話のテキストデータを前記情報保管部にダウンロードするテキストデータダウンロード手段と、
前記携帯端末から前記音声データに対応したテキストの取得指定情報を受け取ると、前記取得指定情報を送信した前記携帯端末に対して前記端末装置により印刷出力されるテキストデータを取得するためのパスワードを送信するパスワード送信手段と、
前記端末装置から前記テキストデータを取得するためのパスワードを受け取ると、前記ダウンロードしたテキストデータを前記情報保管部から読み出して前記端末装置に送信するテキストデータ送信手段と
して機能させるためのプログラムを記録したコンピュータ読み取り可能な記録媒体。
【請求項４】
講座を管理するコンテンツサーバ及び携帯端末とネットワークを介して通信する保管用サーバと、この保管用サーバと前記ネットワークを介して通信する端末装置とからなり、
前記保管用サーバは、
前記ネットワークを介して通信した情報を保管する情報保管部を有する情報保管手段と、
前記携帯端末から受講する講座の問題を取得する送信依頼を受けて前記コンテンツサーバから前記送信依頼に従う講座の問題データを取得し前記情報保管部に格納する問題格納手段と、
前記送信依頼した前記携帯端末に前記問題を取得するためのパスワードを送信するパスワード送信手段と、
前記端末装置から前記パスワードを含む講座の問題取得要求があると、前記情報保管部から前記講座の問題データを読み出して前記端末装置に送信する問題送信手段と、
前記端末装置から前記問題に対する答案データと前記パスワードを受信すると前記答案データを前記コンテンツサーバに送信する答案送信手段と、
前記コンテンツサーバから前記答案データに対する解答データを受信すると前記解答データを前記情報保管部に格納して、前記携帯端末に解答データを保管したことを通知するとともに、解答を取得するために必要なパスワードを送信する通知手段と、
前記端末装置から前記解答を取得するために必要なパスワードを含む解答取得要求があると、前記情報保管部に格納した解答データを読み出して前記端末装置に送信する解答送信手段とを具備し、
前記端末装置は、前記保管用サーバに対して前記問題を取得するためのパスワードを含む講座の問題取得要求を行う問題要求手段と、
スキャナ部と、このスキャナ部で答案を読み取って答案データを作成する答案作成手段と、
前記作成した答案データを前記問題を取得するために使用したパスワードとともに前記保管用サーバに送信する解答要求手段と、
前記保管サーバから前記講座の問題データを受信すると、この受信した問題データを印刷出力して問題を作成し、また、前記保管サーバから前記講座の解答データを受信すると、この受信した解答データを印刷出力して解答を作成する印刷出力手段とを備えたことを特徴とする通信教育システム。
【請求項５】
講座を管理するコンテンツサーバ、携帯端末及び端末装置とネットワークを介して通信する保管用サーバであり、
前記ネットワークを介して通信した情報を保管する情報保管部を有する情報保管手段と、
前記携帯端末から受講する講座の問題を取得する送信依頼を受けて前記コンテンツサーバから前記送信依頼に従う講座の問題データを取得し前記情報保管部に格納する問題格納手段と、
前記送信依頼した前記携帯端末に前記問題を取得するためのパスワードを送信するパスワード送信手段と、
前記端末装置から前記パスワードを含む講座の問題取得要求があると、前記情報保管部から前記講座の問題データを読み出して前記端末装置に送信する問題送信手段と、
前記端末装置から前記問題に対する答案データと前記パスワードを受信すると前記答案データを前記コンテンツサーバに送信する答案送信手段と、
前記コンテンツサーバから前記答案データに対する解答データを受信すると前記解答データを前記情報保管部に格納して、前記携帯端末に解答データを保管したことを通知するとともに、解答を取得するために必要なパスワードを送信する通知手段と、
前記端末装置から前記解答を取得するために必要なパスワードを含む解答取得要求があると、前記情報保管部に格納した解答データを読み出して前記端末装置に送信する解答送信手段とを具備したことを特徴とする保管用サーバ。
【請求項６】
講座を管理するコンテンツサーバ、携帯端末及び端末装置とネットワークを介して通信する保管用サーバとして使用するためにコンピュータを、
前記ネットワークを介して通信した情報を保管する情報保管部を有する情報保管手段と、
前記携帯端末から受講する講座の問題を取得する送信依頼を受けて前記コンテンツサーバから前記送信依頼に従う講座の問題データを取得し前記情報保管部に格納する問題格納手段と、
前記送信依頼した前記携帯端末に前記問題を取得するためのパスワードを送信するパスワード送信手段と、
前記端末装置から前記パスワードを含む講座の問題取得要求があると、前記情報保管部から前記講座の問題データを読み出して前記端末装置に送信する問題送信手段と、
前記端末装置から前記問題に対する答案データと前記パスワードを受信すると前記答案データを前記コンテンツサーバに送信する答案送信手段と、
前記コンテンツサーバから前記答案データに対する解答データを受信すると前記解答データを前記情報保管部に格納して、前記携帯端末に解答データを保管したことを通知するとともに、解答を取得するために必要なパスワードを送信する通知手段と、
前記端末装置から前記解答を取得するために必要なパスワードを含む解答取得要求があると、前記情報保管部に格納した解答データを読み出して前記端末装置に送信する解答送信手段として機能させるためのプログラムを記録したコンピュータ読み取り可能な記録媒体。
【発明の詳細な説明】
【０００１】
【発明の属する技術分野】
本発明は、通信教育システム、このシステムに使用される保管用サーバ及びこの保管用サーバに使用されるプログラムを記録したコンピュータ読み取り可能な記録媒体に関する。
【０００２】
【従来の技術】
例えば、特開平９−２５８６４５号公報には、インターネットに接続したセンタのホストコンピュータとユーザが所有している複数のパーソナルコンピュータとの間で通信教育を行うものが記載されている。そして、この場合に問題や解答をパーソナルコンピュータのみならずＦＡＸを使用しても良いことが記載されている。
【０００３】
【発明が解決しようとする課題】
しかしながら、パーソナルコンピュータやＦＡＸはかなり普及しているが所持している人はまだ少なく、このため、このシステムで通信教育を受ける人が限定されるという問題があった。
【０００４】
そこで、本発明は、ネットワークを介してより多数の人に通信教育を容易に受けさせることが可能な通信教育システムを提供する。
【０００５】
また、本発明は、ネットワークを介してより多数の人に通信教育を容易に受けさせることを可能にする保管用サーバ及びこの保管用サーバに使用されるプログラムを記録したコンピュータ読み取り可能な記録媒体を提供する。
【０００６】
【課題を解決するための手段】
請求項１記載の発明は、特定国語会話の音声データ及びテキストデータを管理するコンテンツサーバ及び携帯端末とネットワークを介して通信する保管用サーバと、この保管用サーバと前記ネットワークを介して通信する端末装置とからなり、前記保管用サーバは、前記ネットワークを介して通信した情報を保管する情報保管部を有する情報保管手段と、前記携帯端末からの指示により前記コンテンツサーバから特定国語会話の音声データを前記情報保管部にダウンロードする音声データダウンロード手段と、前記ダウンロードした音声データを前記情報保管部から読み出して前記携帯端末に送信する音声データ送信手段と、前記端末装置から前記音声データに対応した特定国語会話のテキスト取得要求があると、前記コンテンツサーバから前記音声データに対応した特定国語会話のテキストデータを前記情報保管部にダウンロードするテキストデータダウンロード手段と、前記携帯端末から前記音声データに対応したテキストの取得指定情報を受け取ると、前記取得指定情報を送信した前記携帯端末に対してテキストデータを取得するためのパスワードを送信するパスワード送信手段と、前記端末装置から前記テキストデータを取得するためのパスワードを受け取ると、前記ダウンロードしたテキストデータを前記情報保管部から読み出して前記端末装置に送信するテキストデータ送信手段とを設け、前記端末装置は、前記保管用サーバに対して前記テキストデータを取得するためのパスワードを含む特定国語会話のテキスト取得要求を行う要求手段と、前記保管サーバから前記特定国語会話のテキストデータを受信すると、この受信したテキストデータを印刷出力する印刷出力手段とを備えた通信教育システムにある。
【０００７】
請求項２記載の発明は、特定国語会話の音声データ及びテキストデータを管理するコンテンツサーバ、携帯端末及び端末装置とネットワークを介して通信する保管用サーバであり、前記ネットワークを介して通信した情報を保管する情報保管部を有する情報保管手段と、前記携帯端末からの指示により前記コンテンツサーバから特定国語会話の音声データを前記情報保管部にダウンロードする音声データダウンロード手段と、前記ダウンロードした音声データを前記情報保管部から読み出して前記携帯端末に送信する音声データ送信手段と、前記端末装置から前記音声データに対応した特定国語会話のテキスト取得要求があると、前記コンテンツサーバから前記音声データに対応した特定国語会話のテキストデータを前記情報保管部にダウンロードするテキストデータダウンロード手段と、前記携帯端末から前記音声データに対応したテキストの取得指定情報を受け取ると、前記取得指定情報を送信した前記携帯端末に対して前記端末装置により印刷出力されるテキストデータを取得するためのパスワードを送信するパスワード送信手段と、前記端末装置から前記テキストデータを取得するためのパスワードを受け取ると、前記ダウンロードしたテキストデータを前記情報保管部から読み出して前記端末装置に送信するテキストデータ送信手段とを設けた保管用サーバにある。
【０００８】
請求項３記載の発明は、特定国語会話の音声データ及びテキストデータを管理するコンテンツサーバ、携帯端末及び端末装置とネットワークを介して通信する保管用サーバとして使用するためにコンピュータを、前記ネットワークを介して通信した情報を保管する情報保管部を有する情報保管手段と、前記携帯端末からの指示により前記コンテンツサーバから特定国語会話の音声データを前記情報保管部にダウンロードする音声データダウンロード手段と、前記ダウンロードした音声データを前記情報保管部から読み出して前記携帯端末に送信する音声データ送信手段と、前記端末装置から前記音声データに対応した特定国語会話のテキスト取得要求があると、前記コンテンツサーバから前記音声データに対応した特定国語会話のテキストデータを前記情報保管部にダウンロードするテキストデータダウンロード手段と、前記携帯端末から前記音声データに対応したテキストの取得指定情報を受け取ると、前記取得指定情報を送信した前記携帯端末に対して前記端末装置により印刷出力されるテキストデータを取得するためのパスワードを送信するパスワード送信手段と、前記端末装置から前記テキストデータを取得するためのパスワードを受け取ると、前記ダウンロードしたテキストデータを前記情報保管部から読み出して前記端末装置に送信するテキストデータ送信手段として機能させるためのプログラムを記録したコンピュータ読み取り可能な記録媒体にある。
【０００９】
請求項４記載の発明は、講座を管理するコンテンツサーバ及び携帯端末とネットワークを介して通信する保管用サーバと、この保管用サーバと前記ネットワークを介して通信する端末装置とからなり、前記保管用サーバは、前記ネットワークを介して通信した情報を保管する情報保管部を有する情報保管手段と、前記携帯端末から受講する講座の問題を取得する送信依頼を受けて前記コンテンツサーバから前記送信依頼に従う講座の問題データを取得し前記情報保管部に格納する問題格納手段と、前記送信依頼した前記携帯端末に前記問題を取得するためのパスワードを送信するパスワード送信手段と、前記端末装置から前記パスワードを含む講座の問題取得要求があると、前記情報保管部から前記講座の問題データを読み出して前記端末装置に送信する問題送信手段と、前記端末装置から前記問題に対する答案データと前記パスワードを受信すると前記答案データを前記コンテンツサーバに送信する答案送信手段と、前記コンテンツサーバから前記答案データに対する解答データを受信すると前記解答データを前記情報保管部に格納して、前記携帯端末に解答データを保管したことを通知するとともに、解答を取得するために必要なパスワードを送信する通知手段と、前記端末装置から前記解答を取得するために必要なパスワードを含む解答取得要求があると、前記情報保管部に格納した解答データを読み出して前記端末装置に送信する解答送信手段とを具備し、前記端末装置は、前記保管用サーバに対して前記問題を取得するためのパスワードを含む講座の問題取得要求を行う問題要求手段と、スキャナ部と、このスキャナ部で答案を読み取って答案データを作成する答案作成手段と、前記作成した答案データを前記問題を取得するために使用したパスワードとともに前記保管用サーバに送信する解答要求手段と、前記保管サーバから前記講座の問題データを受信すると、この受信した問題データを印刷出力して問題を作成し、また、前記保管サーバから前記講座の解答データを受信すると、この受信した解答データを印刷出力して解答を作成する印刷出力手段とを備えた通信教育システムにある。
【００１０】
請求項５記載の発明は、講座を管理するコンテンツサーバ、携帯端末及び端末装置とネットワークを介して通信する保管用サーバであり、前記ネットワークを介して通信した情報を保管する情報保管部を有する情報保管手段と、前記携帯端末から受講する講座の問題を取得する送信依頼を受けて前記コンテンツサーバから前記送信依頼に従う講座の問題データを取得し前記情報保管部に格納する問題格納手段と、前記送信依頼した前記携帯端末に前記問題を取得するためのパスワードを送信するパスワード送信手段と、前記端末装置から前記パスワードを含む講座の問題取得要求があると、前記情報保管部から前記講座の問題データを読み出して前記端末装置に送信する問題送信手段と、前記端末装置から前記問題に対する答案データと前記パスワードを受信すると前記答案データを前記コンテンツサーバに送信する答案送信手段と、前記コンテンツサーバから前記答案データに対する解答データを受信すると前記解答データを前記情報保管部に格納して、前記携帯端末に解答データを保管したことを通知するとともに、解答を取得するために必要なパスワードを送信する通知手段と、前記端末装置から前記解答を取得するために必要なパスワードを含む解答取得要求があると、前記情報保管部に格納した解答データを読み出して前記端末装置に送信する解答送信手段とを具備した保管用サーバにある。
【００１１】
請求項６記載の発明は、講座を管理するコンテンツサーバ、携帯端末及び端末装置とネットワークを介して通信する保管用サーバとして使用するためにコンピュータを、前記ネットワークを介して通信した情報を保管する情報保管部を有する情報保管手段と、前記携帯端末から受講する講座の問題を取得する送信依頼を受けて前記コンテンツサーバから前記送信依頼に従う講座の問題データを取得し前記情報保管部に格納する問題格納手段と、前記送信依頼した前記携帯端末に前記問題を取得するためのパスワードを送信するパスワード送信手段と、前記端末装置から前記パスワードを含む講座の問題取得要求があると、前記情報保管部から前記講座の問題データを読み出して前記端末装置に送信する問題送信手段と、前記端末装置から前記問題に対する答案データと前記パスワードを受信すると前記答案データを前記コンテンツサーバに送信する答案送信手段と、前記コンテンツサーバから前記答案データに対する解答データを受信すると前記解答データを前記情報保管部に格納して、前記携帯端末に解答データを保管したことを通知するとともに、解答を取得するために必要なパスワードを送信する通知手段と、前記端末装置から前記解答を取得するために必要なパスワードを含む解答取得要求があると、前記情報保管部に格納した解答データを読み出して前記端末装置に送信する解答送信手段として機能させるためのプログラムを記録したコンピュータ読み取り可能な記録媒体にある。
【００１５】
【発明の実施の形態】
以下、本発明の実施の形態を図面を参照して説明する。
（第１の実施の形態）
なお、この実施の形態は本発明を英会話の通信教育に適用したものについて述べる。
【００１６】
図１はシステム全体の構成を示す図で、インターネットなどのネットワーク１に特定国語会話である英会話の音声データ及びテキストデータを管理するコンテンツサーバ２及び保管用サーバ３を接続している。また、前記ネットワーク１に複数の端末装置４を接続している。前記各端末装置４は、例えば、コンビニエンスストアなどに設置されるようになっている。前記コンテンツサーバ２は、色々なレベルの英会話講座が音声データとテキストデータが対になって記憶しており、一定期間、例えば毎日内容が更新されるようになっている。
【００１７】
前記保管用サーバ３はネットワーク１を介して携帯端末である携帯電話機５と通信ができるようになっている。前記携帯電話機５は、電子メールの送受信機能があり、また、スティック状のＩＣメモリが挿着自在となっており、さらに、ヘッドホン６が接続でき、前記ＩＣメモリに音声や音楽データをダウンロードしてヘッドホン６で聞くことができるようになっている。
【００１８】
前記保管用サーバ３は、図２に示すように、ハードディスク等からなり、前記コンテンツサーバ２から送信される音声データやテキストデータを保管する情報保管手段である情報保管部３１と、ＣＰＵ、ＲＯＭ、ＲＡＭからなり、前記情報保管部３１に保管されている情報を管理したり、テキストデータのパスワードなどを管理する情報管理部３２と、前記コンテンツサーバ２及び携帯電話機５とネットワーク１を介して通信を行い、また、前記端末装置４からテキスト取得要求があると、前記情報保管部３１からテキストデータを取出しネットワーク１を介して前記端末装置４に送信する通信手段３３とを備えている。
【００１９】
前記端末装置４は、図３に示すように、デジタル複合機等からなる入出力装置４１と、この入出力装置４１を制御するコントローラ４２とからなる。前記入出力装置４１は、自動原稿送り装置（ＡＤＦ）４１１、原稿を読み取るスキャナ部４１２、印刷出力手段であるプリンタ部４１３、ハードディスク装置（ＨＤＤ）４１４、操作パネル４１５、前記コントローラ４２と接続したコントローラインターフェース４１６、及びＣＰＵ、ＲＯＭ、ＲＡＭからなり、これらを制御する主制御部４１７を設けている。
【００２０】
前記コントローラ４２は、前記入出力装置４１と接続した入出力装置インターフェース４２１、液晶表示器等からなる表示部４２２、操作部４２３、前記ネットワーク１に接続されたネットワークインターフェース４２４、ハードディスク装置（ＨＤＤ）４２５、及びＣＰＵ、ＲＯＭからなり、これらを制御する主制御部４２６を設けている。前記操作部４２３には、前記保管用サーバ３に対してテキスト取得要求を行うためのキーが設けられ、このキー操作によってコントローラ４２は前記保管用サーバ３にテキスト取得要求を行うようになっている（要求手段）。また、前記端末装置４は自己固有のアドレス情報を持っており、保管用サーバ３へテキスト取得要求の送信を行う際にこのアドレス情報も送信するようになっている。
【００２１】
この通信教育システムにおいては、英会話を行うユーザは携帯電話機５のメール機能を操作して保管用サーバ３にアクセスし、どの英会話を行いたいかの指定を行うと、携帯電話機５から保管用サーバ３に英会話指定情報が送信されるようになっている。
前記保管用サーバ３は携帯電話機５から英会話指定情報を受信すると、図４に示す流れ図に基づいて処理を行うようになっている。
【００２２】
すなわち、ステップＳＴ１にて、携帯電話機５から聞きたい英会話の指定情報を受取り、ステップＳＴ２にて、受取った英会話指定情報に基づいてコンテンツサーバ２から該当する英会話の音声データを情報保管部３１に音声データダウンロード手段によってダウンロードする。そして、ステップＳＴ３にて、情報保管部３１にダウンロードした音声データを読み出して指定情報を受けた携帯電話機５に音声データ送信手段によって送信する。
【００２３】
携帯電話機５では受信した音声データをＩＣメモリに取り込む。以後、携帯電話機５ではヘッドホン６を使用して英会話を聞くことができるようになる。そして、携帯電話機５を使用して英会話を聞いているユーザがこの英会話のテキストの取得を希望するときには、メール機能を使用して前記保管用サーバ３に英会話テキスト取得指定情報を送信する。
【００２４】
前記保管用サーバ３は、携帯電話機５から英会話テキスト取得指定情報が送信されると、図５に示す流れ図に基づいて処理を行うようになっている。すなわち、ステップＳＴ１１にて、携帯電話機５から英会話テキスト取得指定情報を受取ると、ステップＳＴ１２にて、この英会話テキスト取得指定情報に基づいて前記コンテンツサーバ２から該当する英会話のテキストデータを情報保管部３１にテキストデータダウンロード手段によってダウンロードする。すなわち、音声データとしてダウンロードした情報に対応するテキストデータを情報保管部３１にダウンロードする。そして、ステップＳＴ１３にて、携帯電話機５にこのダウンロードした英会話のテキストデータを取得するために必要なパスワードを送信する。なお、パスワードに代えてＩＤコードでもよい。
【００２５】
また、前記保管用サーバ３は、端末装置４からテキスト取得要求があると、図６に示す流れ図に基づいて処理を行うようになっている。すなわち、ステップ２１にて、端末装置４から、アドレス、パスワードを含むテキスト取得要求を受取ると、ステップＳＴ２２にて、情報保管部３１からテキストデータを読み出して前記端末装置４にテキストデータ送信手段によって送信するようになっている。
【００２６】
ユーザは携帯電話機５で保管用サーバ３からパスワードを受信するとその内容を確認した後、近くのコンビニエンスストアに行って設置されている端末装置４を操作することになる。このとき、前記端末装置４は、図７に示す流れ図に基づいて処理を行うようになっている。
【００２７】
すなわち、操作部４２３においてテキスト取得操作が行われると、パスワードが入力されているか否かをチェックし、パスワードが入力されていれば、ステップＳＴ３１にて、前記保管用サーバ３に端末装置４のアドレス、パスワードを含むテキスト取得要求を送信する。なお、パスワードが入力されていなければエラーとなりやり直すことになる。
【００２８】
この状態で、端末装置４は保管用サーバ３からのテキストデータの受信に待機し、受信があると、ステップＳＴ３２にて、受信したテキストデータを入出力装置４１に送信し、プリンタ部４１３によって用紙に印刷出力させるようになっている。
【００２９】
このような構成においては、ユーザが携帯電話機５のメール機能を使用して保管用サーバ３にアクセスし、聞きたい英会話の指定情報を送信すると、保管用サーバ３ではコンテンツサーバ２から該当する英会話の音声データを情報保管部３１にダウンロードする。そして、この音声データを携帯電話機５に送信する。これにより、携帯電話機５ではヘッドホン６を使用して英会話を聞くことができるようになる。
【００３０】
そして、英会話を聞いているユーザがテキストも取得したいと思ったら、携帯電話機５のメール機能を使用して保管用サーバ３に英会話テキスト取得要求を送信する。これにより、保管用サーバ３ではコンテンツサーバ２から該当する英会話のテキストデータを情報保管部３１にダウンロードすると共に携帯電話機５にパスワードを送信する。
【００３１】
パスワードを受信したユーザは近くのコンビニエンスストアに行って端末装置４の操作部４２３を操作してパスワードを入力しテキスト取得要求の送信操作を行う。こうして端末装置４から保管用サーバ３に端末装置４の所在を知らせるアドレスとユーザ識別、テキスト識別となるパスワードを含むテキスト取得要求が送信される。
【００３２】
保管用サーバ３ではパスワードを確認すると、情報保管部３１からテキストデータを読み出して該当する端末装置４に送信する。端末装置４は受信したテキストデータをプリンタ部４１３によって用紙に印刷出力する。こうして、ユーザは音声で聞いた英会話のテキストを手に入れることができる。
【００３３】
このように、ヘッドホン６が接続できるメール機能付きの携帯電話機５を持っているユーザは誰でも簡単に英会話を聞くことができ、しかも、テキストが欲しいときには近くのコンビニエンスストアに設置されている端末装置４を使用して簡単に手に入れることができる。そして、携帯電話機５の普及率はパーソナルコンピュータの普及率に比べてはるかに高く、また、テキストは希望に応じて容易に手に入れることができるので、より多数の人に対して通信教育を容易に受けさせることが可能となる。
【００３４】
なお、この実施の形態では音声データのダウンロードの後からテキストデータを出力させているが、テキストデータの印刷出力の後で音声データのダウンロードを行っても良い。また、テキストデータの出力は１回分に抑えられているので、印刷は数枚程度であり、この英会話講座を通勤時間で行うことも可能である。さらに、この実施の形態は本発明を英会話の通信教育に適用したものについて述べたが必ずしもこれに限定するものではなく、他の特定国語会話であっても良い。
【００３５】
（第２の実施の形態）
なお、この実施の形態は本発明を答案提出の講座の通信教育に適用したものについて述べる。
【００３６】
図８はシステム全体の構成を示す図で、インターネットなどのネットワーク１１に講座を管理するコンテンツサーバ１２及び保管用サーバ１３を接続している。また、前記ネットワーク１１に複数の端末装置１４を接続している。前記各端末装置１４は、例えば、コンビニエンスストアなどに設置されるようになっている。前記保管用サーバ１３及び各端末装置１４の構成は前述した第１の実施の形態の保管用サーバ３及び端末装置４と同一である。
【００３７】
前記コンテンツサーバ１２は各種の通信教育の問題を記憶していると共にその解答も対になって記憶している。前記保管用サーバ１３はネットワーク１１を介して携帯端末である携帯電話機１５と通信ができるようになっている。前記携帯電話機１５は、電子メールの送受信機能を有するものである。
【００３８】
この通信教育システムにおいては、講座を受講するユーザは携帯電話機１５のメール機能を操作して保管用サーバ１３にアクセスし、どの講座の問題を取得したいかの指定を行うと、携帯電話機１５から保管用サーバ１３に講座を特定する情報が送信されるようになっている。
前記保管用サーバ１３は携帯電話機５から特定された講座の問題送信依頼を受信すると、図９に示す流れ図に基づいて処理を行うようになっている。
【００３９】
すなわち、ステップＳＴ４１にて、携帯電話機１５から特定された講座の問題送信依頼を受取り、ステップＳＴ４２にて、受取った講座の問題送信依頼に基づいてコンテンツサーバ１２から該当する講座の問題データを情報保管部３１に問題格納手段によってダウンロードする。そして、ステップＳＴ４３にて、ダウンロードした問題データを取得するためのパスワードを、依頼を受けた携帯電話機１５に送信する。
【００４０】
また、前記保管用サーバ１３は、端末装置１４から問題取得要求があると、図１０に示す流れ図に基づいて処理を行うようになっている。すなわち、ステップＳＴ５１にて、端末装置１４から、アドレス、パスワードを含む問題取得要求を受取ると、ステップＳＴ５２にて、情報保管部３１から問題データを読み出して前記端末装置１４に問題送信手段によって送信するようになっている。
【００４１】
ユーザは携帯電話機１５で保管用サーバ１３からパスワードを受信するとその内容を確認した後、近くのコンビニエンスストアに行って設置されている端末装置１４を操作することになる。このとき、前記端末装置１４は、図１１に示す流れ図に基づいて処理を行うようになっている。
【００４２】
すなわち、操作部４２３において問題取得操作が行われると、パスワードが入力されているか否かをチェックし、パスワードが入力されていれば、ステップＳＴ６１にて、前記保管用サーバ１３に端末装置１４のアドレス、パスワードを含む問題取得要求を問題要求手段によって送信する。なお、パスワードが入力されていなければエラーとなりやり直すことになる。
【００４３】
この状態で、保管用サーバ１３からの問題データの受信に待機し、受信があると、ステップＳＴ６２にて、受信した問題データを入出力装置４１に送信し、プリンタ部４１３によって用紙に印刷出力させるようになっている。
【００４４】
ユーザは出力された問題用紙を受取ると、自宅へ持ち帰って問題を解くことになる。そして、問題用紙を答案用紙として作成すると、端末装置１４を設置しているコンビニエンスストアに赴く。このとき問題用紙を出力したコンビニエンスストアである必要はない。
【００４５】
そして、端末装置１４を操作することになる。すなわち、スキャナ部４１２に作成した答案用紙をセットしてパスワードを入力し答案の送信操作を行う。なお、保管用サーバ１３から送信された問題用紙にはどの講座の問題かを識別できるバーコードが印刷されており、従って、これを答案用紙とした場合には当然バーコードが印刷されている。また、パスワードは問題を要求したときのパスワードと同一である。
【００４６】
すなわち、操作部４２３において答案の送信操作が行われると、端末装置１４は、図１２に示すように、パスワードが入力されているか否かをチェックし、パスワードが入力されていれば、ステップＳＴ７１にて、前記保管用サーバ１３に端末装置１４のアドレス、パスワードを含む答案データを送信する。このときの答案データは答案作成手段によって答案用紙をスキャナ部４１２で読み取った画像を文字コードに変換してデジタル化したものである。なお、パスワードが入力されていなければエラーとなりやり直すことになる。
【００４７】
前記端末装置１４から答案データを受取ると、前記保管用サーバ１３は、図１３に示す流れ図に基づいて処理を行うようになっている。すなわち、ステップＳＴ８１にて、端末装置１４から答案データを受取ると、続いて、ステップＳＴ８２にて、受取った答案データを情報保管部３１に格納する。そして、ステップＳＴ８３にて、情報保管部３１から答案データを読み出してコンテンツサーバ１２に答案送信手段によって送信するようになっている。
【００４８】
前記コンテンツサーバ１２は答案データを受取ると、この答案の基になっている問題に対する解答を作成し、解答データとして保管用サーバ１３に送信するようになっている。
【００４９】
前記保管用サーバ１３はコンテンツサーバ１２に答案データを送信した後はコンテンツサーバ１２からの解答データの受信に待機する。すなわち、図１４に示すように、コンテンツサーバ１２からの解答データの受信に待機し、解答データを受信すると、ステップＳＴ９１にて、受信した解答データを情報保管部３１に格納し、ステップＳＴ９２にて、該当する携帯電話機１５に解答データを保管したことを通知手段によって通知すると共に解答を取得するために必要なパスワードを送信する。
【００５０】
また、前記保管用サーバ１３は、端末装置１４から解答取得要求があると、図１５に示す流れ図に基づいて処理を行うようになっている。すなわち、ステップ１０１にて、端末装置１４から、アドレス、パスワードを含む解答取得要求を受取ると、ステップＳＴ１０２にて、情報保管部３１から解答データを読み出して前記端末装置１４に解答送信手段によって送信するようになっている。
【００５１】
ユーザは携帯電話機１５で保管用サーバ１３からパスワードを受信するとその内容を確認した後、任意のコンビニエンスストアに行って設置されている端末装置１４を操作することになる。このとき、前記端末装置１４は、図１６に示す流れ図に基づいて処理を行うようになっている。
【００５２】
すなわち、操作部４２３において解答取得操作が行われると、パスワードが入力されているか否かをチェックし、パスワードが入力されていれば、ステップＳＴ１１１にて、前記保管用サーバ１３に端末装置１４のアドレス、パスワードを含む解答取得要求を送信する。なお、パスワードが入力されていなければエラーとなりやり直すことになる。
【００５３】
この状態で、保管用サーバ１３からの解答データの受信に待機し、受信があると、ステップＳＴ１１２にて、受信した解答データを入出力装置４１に送信し、プリンタ部４１３によって用紙に印刷出力させるようになっている。このとき解答データは答えのみのデータであっても答案データに正否を付加したデータであっても良い。
【００５４】
このような構成においては、ユーザが携帯電話機１５のメール機能を使用して保管用サーバ１３にアクセスし、受講したい講座の問題送信依頼を送信すると、保管用サーバ１３ではコンテンツサーバ１２から該当する講座の問題データを情報保管部３１にダウンロードするとともにパスワードを携帯電話機１５に送信する。
【００５５】
パスワードを受信したユーザは任意のコンビニエンスストアに行って端末装置１４の操作部４２３を操作してパスワードを入力し問題取得要求の送信操作を行う。こうして端末装置１４から保管用サーバ１３に端末装置１４の所在を知らせるアドレスとユーザ識別、テキスト識別となるパスワードを含む問題取得要求が送信される。
【００５６】
保管用サーバ１３ではパスワードを確認すると、情報保管部３１から問題データを読み出して該当する端末装置１４に送信する。端末装置１４は受信した問題データをプリンタ部４１３によって用紙に印刷出力する。こうして、ユーザは希望する講座の問題用紙を手に入れることができる。
【００５７】
ユーザは、問題用に解答を記入して答案用紙を作成すると、端末装置１４のところへ行ってこの答案用紙を端末装置１４のスキャナ部４１２を使用して読み取り答案データとして保管用サーバ１３に送信する。保管用サーバ１３は受信した答案データをコンテンツサーバ１２に送信する。コンテンツサーバ１２は受信した答案用紙に対する解答を作成し、解答データを保管用サーバ１３に送信する。保管用サーバ１３は解答データを受信すると情報保管部３１に格納すると共に該当する携帯電話機１５に解答を保管したこととパスワードを送信する。
【００５８】
ユーザは端末装置１４のところへ行ってその端末装置１４の操作部４２３を操作してパスワードを入力し解答取得要求の送信操作を行う。こうして端末装置１４から保管用サーバ１３に端末装置１４の所在を知らせるアドレスとユーザ識別、テキスト識別となるパスワードを含む解答取得要求が送信される。
【００５９】
保管用サーバ１３ではパスワードを確認すると、情報保管部３１から解答データを読み出して該当する端末装置１４に送信する。端末装置１４は受信した問題データをプリンタ部４１３によって用紙に印刷出力する。こうして、ユーザは希望する講座の問題に対する解答を手に入れることができる。
【００６０】
このように、メール機能付きの携帯電話機１５を持っているユーザは誰でも簡単に希望する講座の問題使用して学習することができる。そして、問題や解答を取得することや作成した答案を送信することが近くのコンビニエンスストアに設置されている端末装置１４を使用して簡単にできる。しかも、携帯電話機１５の普及率はパーソナルコンピュータの普及率に比べてはるかに高い。従って、より多数の人に対して通信教育を容易に受けさせることが可能となる。
【００６１】
【発明の効果】
以上詳述したように本発明によれば、ネットワークを介してより多数の人に通信教育を容易に受けさせることが可能な通信教育システムを提供できる。
また、本発明によれば、ネットワークを介してより多数の人に通信教育を容易に受けさせることを可能にする保管用サーバ及びこの保管用サーバに使用されるプログラムを記録したコンピュータ読み取り可能な記録媒体を提供できる。
【図面の簡単な説明】
【図１】本発明の第１の実施の形態を示すシステム全体の構成を示す図。
【図２】同実施の形態における保管用サーバの構成を示すブロック図。
【図３】同実施の形態における端末装置の構成を示すブロック図。
【図４】同実施の形態における保管用サーバの音声データ取得処理を示す流れ図。
【図５】同実施の形態における保管用サーバのテキストデータ取得処理を示す流れ図。
【図６】同実施の形態における保管用サーバのテキストデータ送信処理を示す流れ図。
【図７】同実施の形態における端末装置のテキストデータ取得処理を示す流れ図。
【図８】本発明の第２の実施の形態を示すシステム全体の構成を示す図。
【図９】同実施の形態における保管用サーバの問題データ取得処理を示す流れ図。
【図１０】同実施の形態における保管用サーバの問題データ送信処理を示す流れ図。
【図１１】同実施の形態における端末装置の問題データ取得処理を示す流れ図。
【図１２】同実施の形態における端末装置の答案データ送信処理を示す流れ図。
【図１３】同実施の形態における保管用サーバの答案データ取得送信処理を示す流れ図。
【図１４】同実施の形態における保管用サーバの解答データ取得処理を示す流れ図。
【図１５】同実施の形態における保管用サーバの解答データ送信処理を示す流れ図。
【図１６】同実施の形態における端末装置の解答データ取得処理を示す流れ図。
【符号の説明】
１…ネットワーク
３…保管用サーバ
４…端末装置
３１…情報保管部
３３…通信手段
４１２…スキャナ部
４１３…プリンタ部
４２３…操作部
【図１】
0004898015.tif 000002
【図２】
0004898015.tif 000003
【図３】
0004898015.tif 000004
【図４】
0004898015.tif 000005
【図５】
0004898015.tif 000006
【図６】
0004898015.tif 000007
【図７】
0004898015.tif 000008
【図８】
0004898015.tif 000009
【図９】
0004898015.tif 000010
【図１０】
0004898015.tif 000011
【図１１】
0004898015.tif 000012
【図１２】
0004898015.tif 000013
【図１３】
0004898015.tif 000014
【図１４】
0004898015.tif 000015
【図１５】
0004898015.tif 000016
【図１６】
0004898015.tif 000017